(57)【要約】      （修正有）【課題】噴霧ノズルから噴出する液滴の噴霧角度に応じて該液滴の帯電量が最適となるようにすることができるようにする。【解決手段】静電噴霧装置は、薬液を無数の液滴Ｄにして噴出するとともに、該無数の液滴Ｄの噴霧角度Ａを調節する噴霧角度調節手段３６を有する噴霧ノズル２５と、液滴Ｄの拡散範囲の外側に近接するように配設された環状電極２６とを備え、薬液及び環状電極２６の間に印加される高電圧により液滴Ｄを帯電させるように構成されている。そして、噴霧角度Ａに対応して、噴霧ノズル２５と環状電極２６との相対位置を調節する噴霧ノズル−電極間相対位置調節手段３７、又は、液滴−電極間相対位置調節手段、若しくは、電圧調整手段を備えている。【選択図】図２
2006175397.tif 000002
【特許請求の範囲】
【請求項１】
液体を無数の液滴にして噴出するとともに、該無数の液滴の噴霧角度を調節する噴霧角度調節手段を有する噴霧ノズルと、前記液滴の拡散範囲の外側に近接するように配設された電極とを備え、前記液体及び前記電極の間に印加される高電圧により前記液滴を帯電させるように構成された静電噴霧装置であって、
前記噴霧角度に対応して、前記噴霧ノズルと前記電極との相対位置を調節する噴霧ノズル−電極間相対位置調節手段を備えた静電噴霧装置。
【請求項２】
液体を無数の液滴にして噴出するとともに、該無数の液滴の噴霧角度を調節する噴霧角度調節手段を有する噴霧ノズルと、前記液滴の拡散範囲の外側に近接するように配設された電極とを備え、前記液体及び前記電極の間に印加される高電圧により前記液滴を帯電させるように構成された静電噴霧装置であって、
前記噴霧角度に対応して、前記液滴の拡散範囲の外側に対する前記電極の相対位置を調節する液滴−電極間相対位置調節手段を備えた静電噴霧装置。
【請求項３】
液体を無数の液滴にして噴出するとともに、該無数の液滴の噴霧角度を調節する噴霧角度調節手段を有する噴霧ノズルと、前記液滴の拡散範囲の外側に近接するように配設された電極とを備え、前記液体及び前記電極の間に印加される高電圧により前記液滴を帯電させるように構成された静電噴霧装置であって、
前記噴霧角度に対応して、前記液体及び前記電極の間に印加される高電圧の量を調節する電圧調節手段を備えた静電噴霧装置。
【発明の詳細な説明】
【技術分野】
【０００１】
本発明は、静電気を利用して薬液等の液体を噴霧する静電噴霧装置に関するものである。
【背景技術】
【０００２】
従来の静電噴霧装置としては、本出願人による特許文献１記載のものを例示する。この静電噴霧装置１０１は、図１０に示すように、導電性材料で形成された噴霧ノズル１１７と、該噴霧ノズル１１７から噴出される液滴Ｄの拡散範囲の外側に近接するように配設された環状電極１１９との間に高電圧を加えることにより、液滴Ｄを帯電させるように構成されている。
【０００３】
【特許文献１】特開２００４−１２２０９１号公報
【発明の開示】
【発明が解決しようとする課題】
【０００４】
ところが、噴霧ノズル１１７から噴出する液滴Ｄを効率的に帯電させるためには、液滴Ｄと環状電極との位置関係や、高電圧等の条件を最適に設定する必要があり、従来の静電噴霧装置１０１では、噴霧ノズル１１７から噴出する液滴Ｄの噴霧角度Ａを固定するとともに、この固定的な噴霧角度Ａのもとで、前記条件が設定されている。このため、例えば、遠くにある噴霧対象に省力で噴霧するために、噴霧角度Ａを狭めることにより噴霧の到達距離を延ばしたり、近くにある噴霧対象に効率的に噴霧するために、噴霧角度Ａを広げることにより噴霧の範囲を広げたりすることができないという課題がある。
【課題を解決するための手段】
【０００５】
上記課題を解決するために、第１の発明の静電噴霧装置は、
液体を無数の液滴にして噴出するとともに、該無数の液滴の噴霧角度を調節する噴霧角度調節手段を有する噴霧ノズルと、前記液滴の拡散範囲の外側に近接するように配設された電極とを備え、前記液体及び前記電極の間に印加される高電圧により前記液滴を帯電させるように構成された静電噴霧装置であって、
前記噴霧角度に対応して、前記噴霧ノズルと前記電極との相対位置を調節する噴霧ノズル−電極間相対位置調節手段を備えている。
【０００６】
前記第１の発明の静電噴霧装置としては、特に限定されないが、次の態様を例示する。
（１−１）前記噴霧角度調節手段により前記噴霧角度を検出する噴霧角度検出手段を備え、前記噴霧ノズル−電極間相対位置調節手段は、該噴霧角度検出手段により検出された噴霧角度に対応して前記相対位置を調節するように構成された態様。
（１−２）前記噴霧ノズル−電極間相対位置調節手段は、該噴霧角度調節手段に連動して前記相対位置を調節するように構成された態様。
（１−３）前記噴霧ノズル−電極間相対位置調節手段は、前記相対位置を手動で調節するように構成された態様。
【０００７】
第１の発明の構成によれば、前記噴霧角度に対応して、前記噴霧ノズルと前記電極との相対位置を調節する噴霧ノズル−電極間相対位置調節手段を備えているので、前記噴霧ノズルから噴出する前記液滴の前記噴霧角度に応じて該液滴の帯電量が最適となるようにすることができる。
【０００８】
また、第２の発明の静電噴霧装置は、
液体を無数の液滴にして噴出するとともに、該無数の液滴の噴霧角度を調節する噴霧角度調節手段を有する噴霧ノズルと、前記液滴の拡散範囲の外側に近接するように配設された電極とを備え、前記液体及び前記電極の間に印加される高電圧により前記液滴を帯電させるように構成された静電噴霧装置であって、
前記噴霧角度に対応して、前記液滴の拡散範囲の外側に対する前記電極の相対位置を調節する液滴−電極間相対位置調節手段を備えている。
【０００９】
前記第２の発明の静電噴霧装置としては、特に限定されないが、次の態様を例示する。
（２−１）前記噴霧角度調節手段により前記噴霧角度を検出する噴霧角度検出手段を備え、前記液滴−電極間相対位置調節手段は、該噴霧角度検出手段により検出された噴霧角度に対応して前記相対位置を調節するように構成された態様。
（２−２）前記液滴−電極間相対位置調節手段は、該噴霧角度調節手段に連動して前記相対位置を調節するように構成された態様。
（２−３）前記液滴−電極間相対位置調節手段は、前記相対位置を手動で調節するように構成された態様。
【００１０】
第２の発明の構成によれば、前記噴霧角度に対応して、前記液滴の拡散範囲の外側に対する前記電極の相対位置を調節する液滴−電極間相対位置調節手段を備えているので、前記噴霧ノズルから噴出する前記液滴の前記噴霧角度に応じて該液滴の帯電量が最適となるようにすることができる。
【００１１】
また、第３の発明の静電噴霧装置は、
液体を無数の液滴にして噴出するとともに、該無数の液滴の噴霧角度を調節する噴霧角度調節手段を有する噴霧ノズルと、前記液滴の拡散範囲の外側に近接するように配設された電極とを備え、前記液体及び前記電極の間に印加される高電圧により前記液滴を帯電させるように構成された静電噴霧装置であって、
前記噴霧角度に対応して、前記液体及び前記電極の間に印加される高電圧の量を調節する電圧調節手段を備えている。
【００１２】
前記第３の発明の静電噴霧装置としては、特に限定されないが、次の態様を例示する。
（３−１）前記噴霧角度調節手段により前記噴霧角度を検出する噴霧角度検出手段を備え、前記電圧調節手段は、該噴霧角度検出手段により検出された噴霧角度に対応して前記高電圧の量を調節するように構成された態様。
（３−２）前記電圧調節手段は、該噴霧角度調節手段に連動して前記高電圧の量を調節するように構成された態様。
（３−３）前記電圧調節手段は、前記高電圧を手動で調節するように構成された態様。
【００１３】
第３の発明の構成によれば、前記噴霧角度に対応して、前記液体及び前記電極の間に印加される高電圧の量を調節する電圧調節手段を備えているので、前記噴霧ノズルから噴出する前記液滴の前記噴霧角度に応じて該液滴の帯電量が最適となるようにすることができる。
【００１４】
以上において、前記噴霧角度とは、噴霧ノズルから噴出する液滴の広がり角度のことをいう。
【発明の効果】
【００１５】
本発明に係る静電噴霧装置によれば、噴霧ノズルから噴出する液滴の噴霧角度に応じて該液滴の帯電量が最適となるようにすることができるという優れた効果を奏する。
【発明を実施するための最良の形態】
【００１６】
図１及び図２は本発明を具体化した第一実施形態の静電噴霧装置１を示している。図１は、本発明の静電噴霧装置１の全体構成を示しており、この装置は、作物の病気や虫の防除用薬液を収容し供給するための薬液供給部としての収容タンク２と、該収容タンク２から供給される薬液を加圧する薬液圧力発生部としてのポンプ３と、該薬液圧力発生部の吐出口にホース４及び薬液供給制御弁５を介して接続された手持式ノズル部９と、該手持式ノズル部９に高電圧を供給するための高電圧供給部６とを備えている。高電圧供給部６は、それを作動させるためのプッシュスイッチ６ａ（本例ではレバー式を採用）が手持式ノズル部９に取り付けられており、作業者が手持式ノズル部９を持つとともに、プッシュスイッチ６ａを作動させるレバー６ｂを握っている間（プッシュスイッチ６ａが押されている間）のみ高電圧供給部６が作動するようになっている。
【００１７】
手持式ノズル部９は、直線状に延びる噴管１１を備えている。噴管１１の先端側には噴霧部２１が取り付けられており、噴管１１の基端側の周壁に設けられた薬液入口１１ａから供給された薬液が噴管１１の内部を通して噴霧部２１に送られるようになっている。噴管１１の内部には、噴霧部２１の噴霧角度Ａを調節するための調節軸３０が挿入されており、該調節軸３０の基端は、噴管１１の基端側に取り付けられた回転式グリップ部１３に接続されている。調節軸３０の基端側外周には雄ネジ部３０ａが設けられ、該雄ネジ部３０ａは噴管１１の基端側に設けられた雌ネジ穴１１ｂに螺合されている（第１ネジ部４５）。これにより、回転式グリップ部１３を回転させると、その回転方向に応じて、噴管１１に対し該噴管１１の長さ方向へ相対的に回転式グリップ部１３及び調節軸３０が移動するようになっている。
【００１８】
噴霧部２１は、噴管１１の先端に取り付けられ薬液を無数の液滴Ｄにして噴出する噴霧ノズル２５と、該噴霧ノズル２５から噴出される液滴Ｄの拡散範囲の外側に近接するように配設された電極としての環状電極２６と、該環状電極２６を噴霧ノズル２５に結合する電気絶縁性を有する電極ホルダ２７とを備えている。噴霧ノズル２５は、本例では導電性材料で形成されているが、これに限定されず、プラスチックやセラミックで形成されたものも適宜採用できる。この噴霧部２１は、噴霧ノズル２５に供給される薬液と環状電極２６の間に印加される高電圧により液滴Ｄを帯電させるように構成されている。薬液と環状電極２６の間に高電圧を印加する方法としては、特に限定されないが、薬液に接する導電性部位（噴霧ノズル２５や、導電性材料で形成された収容タンク２等）や薬液中に浸けられた電極等と、環状電極２６との間に高電圧を印加することを例示する。このとき、薬液に接する導電性部位や薬液中に浸けられた電極等を接地（アース）することが好ましい。
【００１９】
噴霧ノズル２５は、噴管１１の先端にパッキン３２を介してノズルキャップ３３により取り付けられた噴板３４を備えている。噴板３４の中心には、ノズル穴３４ａが設けられている。噴板３４の噴管内面側には、調節軸３０の先端に取り付けられた中子３１が配設されている。中子３１の外周には斜めに溝３１ａが形成されており、螺旋流を形成するようになっている。また、噴管１１の内周面における噴板３４からやや距離をおいた部位には環状溝３５が設けられている。そして、回転式グリップ部１３を回転させることにより中子３１を噴板３４に近づけると、図２（ａ）に示すように中子３１の外周のみから薬液が流出するため、螺旋流が強くなり、噴霧角度Ａの大きな噴霧Ｓとなる。また、中子３１を噴板３４から離すと、図２（ｂ）に示すように中子３１の外周と環状溝３５を薬液が流れるため、大きな流量となるとともに、螺旋流が緩やかになり、噴霧角度Ａの小さな噴霧Ｓとなる。これが噴霧角度Ａを調節する噴霧角度調節手段３６である。
【００２０】
電極ホルダ２７は、噴管先端側が開口している略カップ状に形成されるとともに、その底壁部の中央には、噴管１１を配設するための貫通穴２７ａが設けられている。また、電極ホルダ２７の底壁部の内面側及び外面側には、導電性を有する薬液を通じて環状電極２６の高電位が噴管１１の基端側に伝わることを防止する漏電防止部２８，２８がそれぞれ設けられている。電極ホルダ２７の開口には、略円環状に形成された電極カバー２９が螺着されており、該電極カバー２９には環状電極２６が固定されている。この電極カバー２９を回転させると、その回転方向に応じて、噴霧Ｓの噴出方向における噴霧ノズル２５と環状電極２６との相対位置を調節可能になっており、これが噴霧ノズル−電極間相対位置調節手段３７である。そして、図２（ａ）に示すように噴霧角度Ａの大きな噴霧Ｓとするときは、液滴Ｄの拡散範囲の外側と環状電極２６の穴２６ａの内周とが近づきすぎないようにするために環状電極２６を噴霧ノズル２５に近づけ、図２（ｂ）に示すように、噴霧角度Ａの小さな噴霧Ｓとするときは、液滴Ｄの拡散範囲の外側と環状電極２６の穴２６ａの内周とが離れすぎないようにするために環状電極２６を噴霧ノズル２５から遠ざけるようにする。こうすると、噴霧角度Ａに応じて、液滴Ｄに対して効果的に静電気を帯電させることができる。
【００２１】
以上のように構成された本例の静電噴霧装置１によれば、噴霧角度Ａに対応して、噴霧ノズル２５と環状電極２６との相対位置を調節する噴霧ノズル−電極間相対位置調節手段３７を備えているので、噴霧ノズル２５から噴出する液滴Ｄの噴霧角度Ａに応じて該液滴Ｄの帯電量が最適となるようにすることができる。
【００２２】
次に、図３及び図４は本発明を具体化した第二実施形態を示している。この静電噴霧装置は、以下に示す点において、主に第一実施形態と相違している。従って、同実施形態と共通する部分については、同一符号を付することにより重複説明を省く（以下に示す他の実施形態についても同様。）。
【００２３】
本例の電極ホルダ（図示略）には、環状電極２６が固定的に取り付けられている。第一実施形態と同様のものとすることも可能である。
【００２４】
噴霧ノズル２５は、噴管１１の先端に取り付けられたノズルキャップ４２を備えている。ノズルキャップ４２は、内筒体４３と、該内筒体４３の外周側に配設され、噴霧ノズル先端側が内筒体４３に隙間なく接続された外筒体４４とを備えている。外筒体４４の内周面には雌ネジ４４ａが刻設されており、噴管１１の先端側外周面に刻設された雄ネジ１１ｃに螺合されている（第２ネジ部４６）。内筒体４３の噴管側外周面と、噴管１１の先端側内周面との間はシール材としてのＯリング４７によりシールされている。内筒体４３の噴霧ノズル先端側開口の内縁部には、その全周に渡る環状突部４８が設けられており、該環状突部４８により内筒体４３の内側に噴板３４が係止されている。調節軸３０の先端側には、回転駆動部４９が取り付けられており、噴板３４と回転駆動部４９の間には、パッキン５０、中子５１、及びバネ５２が配設されている。中子５１の外周には斜めに溝５１ａが形成されており、螺旋流を形成するようになっている。また、中子５１の中心には貫通穴５１ｂが形成されている。内筒体４３の噴管側開口には噴霧方向に延びる切欠部４３ａが設けられるとともに、該切欠部４３ａには回転駆動部４９の外周に突設された突部４９ａが噴霧方向へ摺動可能に嵌合しており、調節軸３０の回転をノズルキャップ４２に伝動するようになっている。噴管１１と調節軸３０との間の第１ネジ部４５（図１参照）のピッチと、噴管１１とノズルキャップ４２との間の第２ネジ部４６のピッチとは作動ネジとなっており、第２ネジ部４６のピッチの方が小さく設計されており、両ネジ部４５，４６とも同じ方向に移動するようになっている。
【００２５】
そして、図３（ａ）に示すように噴霧角度Ａの大きな噴霧Ｓとするために回転式グリップ部（図示略）を回転させ調節軸３０を噴霧ノズル２５の噴板３４に近づくように移動させると、中子中心の貫通穴５１ｂは調節軸３０により塞がれて行き、薬液は中子外周から流出されるようになり、中子外周の斜めの溝５１ａにより螺旋流となり噴霧角度Ａは大きくなる。これに連動して噴霧ノズル２５が環状電極２６に近づくように自動的に移動し、液滴Ｄの拡散範囲の外側と環状電極２６の穴２６ａの内周とが近づきすぎないようになる。また、図３（ｂ）に示すように噴霧角度Ａの小さな噴霧Ｓとするために調節軸３０を噴霧ノズル２５の噴板３４から遠ざけるように移動させると、薬液は中子外周の溝５１ａからの流出もあるが中子中心の貫通穴５１ｂからの流れが強くなり、流量が多くなるとともに、噴板３４からの噴霧Ｓは溝５１ａからの流れに貫通穴５１ｂからの流れが合流されるために噴霧角度Ａは小さくなる。これに連動して噴霧ノズル２５が環状電極２６から遠ざかるように自動的に移動し、液滴Ｄの拡散範囲の外側と環状電極２６の穴２６ａの内周とが離れすぎないようになる。こうすると、噴霧角度Ａに応じて、液滴Ｄに対して効果的に静電気を帯電させることができる。
【００２６】
本例の静電噴霧装置によっても、第一実施形態と同様の効果を得ることができる。さらに、本例によれば、噴霧角度Ａに連動して噴霧ノズル２５と環状電極２６との相対位置が自動的に調節されるようになっているので、該相対位置を調節する手間を省くことができる。
【００２７】
次に、図５は本発明を具体化した第三実施形態を示している。この静電噴霧装置６１は、以下に示す点において、主に第一実施形態と相違している。
【００２８】
本例の電極ホルダ２７は、漏電防止部２８，２８と一体的に構成されており、噴管１１に対して相対スライド可能に取り付けられている。噴管１１の外周面と電極ホルダ２７との間は、シール材としてのＯリング６２により、シールされている。噴管１１には、それと平行に延びる駆動軸６３が回転自在に支持されている。駆動軸６３の噴管先端側には、雄ネジ部６３ａが設けられており、電極ホルダ２７に設けられた雌ネジ穴６４に螺入されている。また、駆動軸６３の噴管基端側には、ギヤ６５が取り付けられており、噴霧角度Ａを調節する回転式グリップ部１３に取り付けられたギヤ６６に噛合されている。
【００２９】
そして、噴霧角度Ａの大きな噴霧Ｓとするために回転式グリップ部１３を回転させ調節軸３０を噴霧ノズル２５の噴板３４に近づくように移動させると、これに連動して環状電極２６が噴霧ノズル２５に近づくように自動的に移動し、液滴Ｄの拡散範囲の外側と環状電極２６の穴２６ａの内周とが近づきすぎないようになる。また、噴霧角度Ａの小さな噴霧Ｓとするために調節軸３０を噴霧ノズル２５の噴板３４から遠ざけるように移動させると、これに連動して環状電極２６が噴霧ノズル２５から遠ざかるように自動的に移動し、液滴Ｄの拡散範囲の外側と環状電極２６の穴２６ａの内周とが離れすぎないようになる。こうすると、噴霧角度Ａに応じて、液滴Ｄに対して効果的に静電気を帯電させることができる。
【００３０】
本例の静電噴霧装置６１によっても、第二実施形態と同様の効果を得ることができる。
【００３１】
次に、図６及び図７は本発明を具体化した第四実施形態を示している。この静電噴霧装置は、以下に示す点において、主に第一実施形態と相違している。
【００３２】
環状電極２６は、電極ホルダ２７の開口端部に、その周方向に一定間隔をおいて突設された軸７２に回動自在に支持された４枚の羽根７３を備えており、その先端側の面が電極ホルダ２７の先端に取り付けられた電極カバー２９にほぼ覆われている。電極カバー２９は、電極ホルダ２７に対して相対回転可能に取り付けられている。各羽根７３は、それぞれ電極ホルダ２７外方側に突設された接触部７３ａを備えるとともに、付勢手段としてのバネ７４によって電極ホルダ２７の外方（図７における反時計回り方向）に付勢されており、該接触部７３ａが電極カバー２９の内周面に形成されたカム部７５に接するようになっている。各カム部７５は、一端側から他端側（図７における時計回り側）になるほど徐々に環状電極２６の中心から遠ざかるように形成されている。これにより、電極ホルダ２７に対して電極カバー２９を回転させると、その回転方向に応じて、光学式カメラの絞りと同様に環状電極２６の穴２６ａの大きさを調節することができるようになっている。これが、噴霧角度Ａに対応して、液滴Ｄの拡散範囲の外側に対する環状電極２６の相対位置を調節する液滴−電極間相対位置調節手段７７である。
【００３３】
そして、噴霧角度Ａの大きな噴霧Ｓとするときは、図７（ａ）に示すように液滴Ｄの拡散範囲の外側と環状電極２６の穴２６ａの内周とが近づきすぎないようにするために、電極カバー２９を回転させて環状電極２６の穴２６ａを拡大させ、噴霧角度Ａの小さな噴霧Ｓとするときは、図７（ｂ）に示すように液滴Ｄの拡散範囲の外側と環状電極２６の穴２６ａの内周とが離れすぎないようにするために、電極カバー２９を逆方向に回転させて環状電極２６の穴２６ａを縮小させるようにする。こうすると、噴霧角度Ａに応じて、液滴Ｄに対して効果的に静電気を帯電させることができる。
【００３４】
なお、調節軸３０の回転に連動して電極カバー２９が回転するように構成することもできる。
【００３５】
以上のように構成された本例の静電噴霧装置によれば、噴霧角度Ａに対応して、液滴Ｄの拡散範囲の外側に対する環状電極２６の相対位置を調節する液滴−電極間相対位置調節手段７７を備えているので、噴霧ノズル２５から噴出する液滴Ｄの噴霧角度Ａに応じて該液滴Ｄの帯電量が最適となるようにすることができる。
【００３６】
次に、図８は本発明を具体化した第五実施形態を示している。この静電噴霧装置は、以下に示す点において、主に第四実施形態と相違している。
【００３７】
本例の環状電極２６は、電極カバー２９に固定されておらず、噴霧角度Ａに対応して、穴２６ａの異なる環状電極２６を適宜交換可能になっている。これが、噴霧角度Ａに対応して、液滴Ｄの拡散範囲の外側に対する環状電極２６の相対位置を調節する液滴−電極間相対位置調節手段７７である。そして、噴霧角度Ａの大きな噴霧Ｓとするときは、図８（ａ）に示すように液滴Ｄの拡散範囲の外側と環状電極２６の穴２６ａの内周とが近づきすぎないようにするために穴２６ａの大きな環状電極２６を噴霧部２１に取り付け、噴霧角度Ａの小さな噴霧Ｓとするときは、図８（ｂ）に示すように液滴Ｄの拡散範囲の外側と環状電極２６の穴２６ａの内周とが離れすぎないようにするために穴２６ａの小さな環状電極２６を噴霧部２１に取り付けるようにする。こうすると、噴霧角度Ａに応じて、液滴Ｄに対して効果的に静電気を帯電させることができる。
【００３８】
本例の静電噴霧装置によっても、第四実施形態と同様の効果を得ることができる。
【００３９】
次に、図９は本発明を具体化した第六実施形態を示している。この静電噴霧装置９１は、以下に示す点において、主に第一実施形態と相違している。
【００４０】
噴管１１には、それと平行に延びる検出軸９２ａを備えた回転角度検出器９２（例えば、ポテンショメータ等）が支持されている。検出軸９２ａには、ギヤ９３が取り付けられており、噴霧角度Ａを調節する回転式グリップ部１３に取り付けられたギヤ９４に噛合されている。これにより、回転式グリップ部１３の回転角度を回転角度検出器９２により検出するようになっている。回転角度検出器９２から出力された検出信号は、制御信号発生器９５に入力される。制御信号発生器９５は、その入力信号に応じて高電圧供給部６を制御し、環状電極２６に印加する高電圧を調節するように構成されている。これが、噴霧角度Ａに対応して、薬液及び環状電極２６の間に印加される高電圧の量を調節する電圧調節手段９６である。
【００４１】
そして、噴霧角度Ａの大きな噴霧Ｓとするために回転式グリップ部１３を回転させ調節軸３０を噴霧ノズル２５の噴板３４に近づくように移動させると、これに連動して、液滴Ｄの拡散範囲の外側と環状電極２６との距離が近くなり液滴Ｄの帯電量が過大にならないように、制御信号発生器９５は高電圧供給部６からの高電圧を自動的に低めるようにする。また、噴霧角度Ａの小さな噴霧Ｓとするために調節軸３０を噴霧ノズル２５の噴板３４から遠ざけるように移動させると、これに連動して、液滴Ｄの拡散範囲の外側と環状電極２６との距離が遠くなり液滴Ｄの帯電量が不足しないように、制御信号発生器９５は高電圧供給部６からの高電圧を自動的に高めるようにする。こうすると、噴霧角度Ａに応じて、液滴Ｄに対して効果的に静電気を帯電させることができる。
【００４２】
なお、回転角度検出器９２、ギヤ９３，９４を省き、噴霧角度Ａに対応して、制御信号発生器９５を手動で調節するように構成することもできる。
【００４３】
本例の静電噴霧装置９１によれば、噴霧角度Ａに対応して、薬液及び環状電極２６の間に印加される高電圧の量を調節する電圧調節手段９６を備えているので、噴霧ノズル２５から噴出する液滴Ｄの噴霧角度Ａに応じて該液滴Ｄの帯電量が最適となるようにすることができる。
【００４４】
さらに、本例によれば、噴霧角度Ａに連動して薬液及び環状電極２６の間に印加される高電圧の量が自動的に調節されるようになっているので、該相対位置を調節する手間を省くことができる。
【００４５】
なお、本発明は前記実施形態に限定されるものではなく、例えば以下のように、発明の趣旨から逸脱しない範囲で適宜変更して具体化することもできる。
（１）本発明の静電噴霧装置を液肥の散布に使用すること。
（２）ノズル部９を農作業用機械の機体に支持させるように構成すること。
（３）噴霧装置では、噴霧角度Ａが大きくなるほど薬液の流量が少なくなるので、噴霧角度検出手段として薬液の流量検出手段を設け、検出された薬液の流量に応じて、前記噴霧ノズル−電極間相対位置調節手段、前記液滴−電極間相対位置調節手段、又は前記電圧調節手段を制御するように構成すること。
（４）静電噴霧装置では、噴霧角度Ａが大きくなるほど高電圧供給部６の消費電流が多くなるので、
噴霧角度検出手段として消費電流の検出手段を設け、検出された消費電流に応じて、前記噴霧ノズル−電極間相対位置調節手段、前記液滴−電極間相対位置調節手段、又は前記電圧調節手段を制御するように構成すること。
【図面の簡単な説明】
【００４６】
【図１】本発明を具体化した第一実施形態に係る静電噴霧装置の全体構成を示す側断面図である。
【図２】同静電噴霧装置の噴霧部の側断面図である。
【図３】本発明を具体化した第二実施形態に係る静電噴霧装置の噴霧部の要部を示す側断面図である。
【図４】同噴霧部の要部を示す斜視図である。
【図５】本発明を具体化した第三実施形態に係る静電噴霧装置の全体構成を示す側断面図である。
【図６】本発明を具体化した第四実施形態に係る静電噴霧装置の噴霧部の側断面図であり、図７のＶＩ−ＶＩ線断面図である。
【図７】図６のＶＩＩ−ＶＩＩ線断面図である。
【図８】本発明を具体化した第五実施形態に係る静電噴霧装置の噴霧部の側断面図である。
【図９】本発明を具体化した第六実施形態に係る静電噴霧装置の全体構成を示す側断面図である。
【図１０】従来の静電噴霧装置の噴霧部を示す側断面図である。
【符号の説明】
【００４７】
１    静電噴霧装置
１１    噴管
２１    噴霧部
２５    噴霧ノズル
２６    環状電極
２６ａ  穴
２７    電極ホルダ
３６    噴霧角度調節手段
３７    電極間相対位置調節手段
６１    静電噴霧装置
７１    静電噴霧装置
７７    電極間相対位置調節手段
８１    静電噴霧装置
９１    静電噴霧装置
９６    電圧調節手段
Ａ    噴霧角度
Ｄ    液滴
Ｓ    噴霧
【図１】
2006175397.tif 000003
【図２】
2006175397.tif 000004
【図３】
2006175397.tif 000005
【図４】
2006175397.tif 000006
【図５】
2006175397.tif 000007
【図６】
2006175397.tif 000008
【図７】
2006175397.tif 000009
【図８】
2006175397.tif 000010
【図９】
2006175397.tif 000011
【図１０】
2006175397.tif 000012